(57)【要約】      （修正有）【課題】ロースターを提供する。【解決手段】主に回転軸と回転軸固定台体を含む。該回転軸はロースターの上蓋に固定し、該回転軸固定台体はロースターの底台に固定する。該回転軸固定台体内には回転軸孔を設置し、回転軸を設置する。しかも該回転軸孔の内径は該回転軸の外径より大きく、かつ両者間は空隙を生じ、該空隙により該回転軸は該回転軸孔内の特定方向において短距離の移動を行うことができる。該上蓋には第一フランジ定位点を設置し、該底台の該回転軸固定台体に近い位置には第二フランジ定位点を設置する。該上蓋が該底台に対応し回転し開放する時、該第一フランジ定位点は最後に該第二フランジ定位点に支え、これにより該上蓋は半開放状態に固定され、９０度以上の挟角を呈する。【選択図】図１
0003127560.tif 000002
【実用新案登録請求の範囲】
【請求項１】
主に底台と上蓋を含み、該上蓋と該底台の内側面には共に加熱装置を設置し、しかも該上蓋と該底台の片側は相互に可動接続し、
該上蓋には回転軸を設置し、及び第一フランジ定位点を設置し、
該底台には回転軸固定台体を設置し、該回転軸固定台体には回転軸孔を設置し、該回転軸孔の内径は該回転軸の外径より大きく、しかも該回転軸は該回転軸孔内に対応し、該底台にはさらに第二フランジ定位点を設置し、
該上蓋と該底台の相対面の挟角が０度である時、該第一フランジ定位点と該第二フランジ定位点間には正挟角を備え、
該第一フランジ定位点と該第二フランジ定位点間の挟角が０度である時には、該上蓋と該底台の挟角は９０度以上１８０度以下で、
該上蓋と該底台の相対面の挟角が１８０度である時、該第一フランジ定位点と該第二フランジ定位点間には負挟角を備えることを特徴とするロースター。
【請求項２】
前記第一フランジ定位点と該第二フランジ定位点間の挟角が０度である時、該上蓋と該底台の挟角は９５度から１２５度であることを特徴とする請求項１記載のロースター。
【請求項３】
前記底台内側壁面には異なる高さに位置する複数の階段を設置することを特徴とする請求項１或いは２記載のロースター。
【請求項４】
前記底台両側にはそれぞれ該底台を支える脚台を設置することを特徴とする請求項１或いは２記載のロースター。
【請求項５】
前記脚台の内の１個は電気設備を設置する機械ボックスの装置に用いることを特徴とする請求項４記載のロースター。
【請求項６】
前記上蓋の相対する両側にはサポート脚を設置し、該サポート脚は下サポート面と側サポート面を備え、該上蓋が該底台に対応し１８０度の回転を行う時、該下サポート面は該上蓋により支えられ、ロースターを立てる時には、該側サポート面と該脚台の側面が一緒にロースター全体を支えることを特徴とする請求項１或いは２記載のロースター。
【請求項７】
前記上蓋と該底台を蓋合する時、嵌合具を操作し、該上蓋と該底台の固定或いは不固定を制御することを特徴とする請求項４記載のロースター。
【考案の詳細な説明】
【技術分野】
【０００１】
本考案は一種の食物の加熱調理に用いるロースターに関する。
【背景技術】
【０００２】
生活水準の向上に従い、多くの家庭では庭でバーベキューをし、或いは焼肉店で焼肉を味わう機会が増えている。このため、焼肉用設備が次々に発売されている。内、ロースターはしばしば見られる焼肉用設備の一種である。一般的なロースターは、図９に示すように主に上蓋、底台、可動回転部、制御部、加熱部を含む。しかし、公知のロースターの上蓋は通常は完全に封鎖するか、或いはおよそ９０度の位置まで開放するかしかできず、平らになるまで全開状態にすることができない。しかも該上蓋は加熱作用を備えないため、ロースト時には底台を覆蓋し、熱エネルギーの散逸を減少させることしかできない。
【０００３】
さらに該上蓋が開放位置にある時、該底台との間の挟角度はおよそ９０度であるため、もし嵌合具、固定具などの特定の定位装置がなく該上蓋を固定しなければ、該上蓋は重力或いは外力で閉鎖位置に戻されてしまう。これでは、ロースト時に不便である。
【０００４】
また、もし一度に多くの魚を焼こうとする時には、底台を利用するだけでは不十分であるため、上蓋を平坦にし、しかもローストに利用することができれば、底台と一緒により大きなロースト面積を構成することができ、時間の節約を促進することができる。
【０００５】
しかも、一般のロースターは体積が大きくしかも長方形であるため、使用しない時に収納しようとすれば、横方向に平らに置く必要があり、非常に場所をとり、収納にも不便である。
【０００６】
本考案は上記構造の問題点を解決したロースターを提供するものである。
【考案の開示】
【考案が解決しようとする課題】
【０００７】
上記課題を解決するため、本考案は下記のロースターを提供する。それは主にロースターの回転定位装置を提供し、ロースター上に設置可能で、焼肉、魚やシーフード或いは野菜などの食材をローストする時、該回転定位装置により該ロースターの上蓋は該底台に９５度から１２５度の半開放状態に定位され、また１８０度の全開状態も可能とし、こうして公知構造に存在していた欠点を解決し、該上蓋と該底台は共に加熱装置を設置し、これにより該上蓋は該底蓋に対応し全開状態を呈する時、より大きなロースト面積を備える。
【０００８】
またそれは、長方形ロースターを立てて収納可能な設計で、こうして場所を取らず、収納の便を図る。
【０００９】
さらにそれは、食材の性質に応じて、蒸し網、ローストプレートなどを交換可能なロースターを提供する。
【００１０】
すなわちそれはロースターの回転定位装置を提供し、該回転定位装置は回転軸と回転軸固定台体を含み、該回転軸はロースターの上蓋に固定し、該回転軸固定台体はロースターの底台に固定し、該回転軸固定台体内には回転軸孔を設置し、回転軸を設置し、しかも該回転軸孔の内径は該回転軸の外径より大きく、かつ両者間は空隙を生じ、該空隙により該回転軸は該回転軸孔内の特定方向において短距離の移動を行うことができる。
【００１１】
該上蓋には第一フランジ定位点を設置し、該底台の該回転軸固定台体に近い位置には第二フランジ定位点を設置し、該ロースターの上蓋が該底台に対応し開放する時、該回転軸は該上蓋に固定するため、該上蓋が回転する時には該回転の回転を連動し、該上蓋は自身の重力作用を受け、該回転軸上の第一フランジ定位点は最後に該第二フランジ定位点に支え、これにより該回転軸は回転を継続不能となり、該上蓋と該底台の開放角度を固定し、本考案では出願人は半開放状態を９５度から１２５度に設定する。
【００１２】
ロースターの上蓋が該底台に対して半開放状態から平らに全開状態に移行する時には、該回転軸固定台体内の回転軸孔と回転軸間には空隙が存在するため、使用者は該上蓋を上方へとやや持上げ、該回転軸を該回転軸孔内において上方へと移動させると、該第一フランジ定位点はちょうど該第二フランジ定位点を避け、両者間は相互に接触しなくなり、こうして該上蓋は回転を継続し、最後には平坦に全開状態となる。本考案において、出願人は該上蓋と該底台の外形を半円形状に類似させ設計するため、該上蓋が平坦になり、該底台と接触する時、両者間の挟角は１８０度に近くなる。
【００１３】
該上蓋が該底台に対応し平坦になるため、本考案は該上蓋内に加熱装置を設置し、加熱ロースト効果を発揮可能とし、該上蓋と該底台を同時に利用し調理することで、ロースト速度を向上させることができる。
【００１４】
また該底台にローストプレート或いは蒸し網などの調理器具を設置できるよう、本考案は該底台内側壁面に異なる高さに設置する第一階段と第二階段を設置し、該第一階段と該第二階段はそれぞれローストプレートと蒸し網の設置に用い、さらに本考案は該底台内側壁面にさらに多くの異なる高さの階段を設置可能で、食物の大きさ、厚みに応じてことなる調理器具を選択することができる。
【００１５】
さらにそれはロースターの底台両側にそれぞれ該底台を支える脚台を設置し、内１個の脚台はロースターに必要な電気を提供する機械ボックスを設置可能である。
【００１６】
またそれは該上蓋の相対する両側にはサポート脚を設置し、該サポート脚は下サポート面と側サポート面を備え、該上蓋が該底台に対応し１８０度の回転を行う時、該下サポート面は該上蓋により支えられ、ロースターを立てる時には、該側サポート面と該脚台の側面が一緒にロースター全体を支える。
【００１７】
加えてそれは該上蓋と該底台を蓋合する時、嵌合具を操作し、該上蓋と該底台の固定或いは不固定を制御することを特徴とするロースターを提供する。
【課題を解決するための手段】
【００１８】
請求項１の考案は、主に底台と上蓋を含み、該上蓋と該底台の内側面には共に加熱装置を設置し、しかも該上蓋と該底台の片側は相互に可動接続し、
該上蓋には回転軸を設置し、及び第一フランジ定位点を設置し、
該底台には回転軸固定台体を設置し、該回転軸固定台体には回転軸孔を設置し、該回転軸孔の内径は該回転軸の外径より大きく、しかも該回転軸は該回転軸孔内に対応し、該底台にはさらに第二フランジ定位点を設置し、
該上蓋と該底台の相対面の挟角が０度である時、該第一フランジ定位点と該第二フランジ定位点間には正挟角を備え、
該第一フランジ定位点と該第二フランジ定位点間の挟角が０度である時には、該上蓋と該底台の挟角は９０度以上１８０度以下で、
該上蓋と該底台の相対面の挟角が１８０度である時、該第一フランジ定位点と該第二フランジ定位点間には負挟角を備えることを特徴とするロースターとしている。
請求項２の考案は、前記第一フランジ定位点と該第二フランジ定位点間の挟角が０度である時、該上蓋と該底台の挟角は９５度から１２５度であることを特徴とする請求項１記載のロースターとしている。
請求項３の考案は、前記底台内側壁面には異なる高さに位置する複数の階段を設置することを特徴とする請求項１或いは２記載のロースターとしている。
請求項４の考案は、前記底台両側にはそれぞれ該底台を支える脚台を設置することを特徴とする請求項１或いは２記載のロースターとしている。
請求項５の考案は、前記脚台の内の１個は電気設備を設置する機械ボックスの装置に用いることを特徴とする請求項４記載のロースターとしている。
請求項６の考案は、前記上蓋の相対する両側にはサポート脚を設置し、該サポート脚は下サポート面と側サポート面を備え、該上蓋が該底台に対応し１８０度の回転を行う時、該下サポート面は該上蓋により支えられ、ロースターを立てる時には、該側サポート面と該脚台の側面が一緒にロースター全体を支えることを特徴とする請求項１或いは２記載のロースターとしている。
請求項７の考案は、前記上蓋と該底台を蓋合する時、嵌合具を操作し、該上蓋と該底台の固定或いは不固定を制御することを特徴とする請求項４記載のロースターとしている。
【考案の効果】
【００１９】
上記のように、
１．本考案ロースターは回転定位装置により封鎖、半開放、全開の形式とすることができるため、様々な状況に応じて調整することができる、
２．さらに非常に大量の食材を調理する時には、底台と上蓋は完全に展開し同時にローストに使用することができるため、調理の効率を向上させることができる、
３．また使用しない時に収納する場合には、ロースター全体を立てることができるため、狭い収納空間にも適応可能である、
４．しかも本考案は底台内側壁面に異なる高さの複数の階段を設置するため、蒸し網或いはローストプレートを装置することができ、ロースターの実用性をさらに向上させることができる。
【考案を実施するための最良の形態】
【００２０】
本考案は焼肉、魚やシーフード或いは野菜などの食材のローストに用い、該ロースター上に設置する回転定位装置を含む。食材をローストする時、該回転定位装置により該ロースターの上蓋は該底台に対応し２段式の定位を行うことができる。すなわち、およそ９０度以上で１８０度以下の範囲内で行うことができるが、本考案の実施例では９５度から１２５度の半開放状態に設計し、また１８０度の全開状態も可能とする。本ロースターの設計は直立収納し場所を取らない設計とし、必要に応じて蒸し網或いはローストプレートなどの用具に交換することもできる。
【００２１】
図１、２に示すように、本考案ロースターの最適実施例は、相互に可動連接する底台４０と上蓋３０を含む。該底台４０と該上蓋３０の内側面にはそれぞれ加熱装置３２を設置する。該底台４０の相互に対応する両側にはそれぞれ該底台４０を支える脚台４２を設置し、該１個の脚台４２にはロースターが必要とする電気設備を設置する機械ボックス４３を装置することができる。該機械ボックス４３上には制御ボタンを設置し、加熱装置３２のオン/オフを制御する。該機械ボックス４３上にはスライド式の嵌合具４４を設置する。該嵌合具４４はスライド式の押しボタンで、一端には係合ほぞ４４１を設置するため、該上蓋３０を該底台４０に対応し覆蓋する時には、該嵌合具４４を押し該係合ほぞ４４１を利用し、該上蓋３０表面に係合することができる。こうして該上蓋３０と該底台４０は相互に固定され、ロースターを運び或いはロースターを立てる時の便を図る。
【００２２】
該底台４０内部には蒸し網５０を設置することができる。該上蓋３０の相対する両側には下サポート面３３１と側サポート面３３２を備えたサポート脚３３を設置する。これにより、該上蓋３０は該底台４０に対応する１８０度開放し平らに置く時、該下サポート面３３１を利用し、床面或いはテーブル面に接触(図１２参照)する。使用しない時には、横方向に置く(図１４参照)他、該嵌合具４４を利用し該上蓋３０と該底台４０を固定し、ロースターを直立させた時にも、該上蓋３０が該底台４０に対応し開放することを防止する。さらに該脚台４２の側面と該サポート脚３３のサポート面３３２を利用し、収納空間の床面(図１５参照)或いは収納棚内部の底面に接触させることができる。該嵌合具４４は該上蓋３０と該底台４０を固定する。
【００２３】
本考案のロースターは回転定位装置を提供することで、該上蓋３０は該底台４０に対して２段階角度の開放を行う。図４に示すように、該回転定位装置は回転軸１０、回転軸固定台体２０を含む。該回転軸１０は該ロースターの上蓋３０に固定し、該回転軸固定台体２０は該ロースターの底台４０に固定する。該回転軸固定台体２０内には回転軸孔２２を設置し、該回転軸１０を設置する。
さらに図５に示すように、該回転軸孔２２の内径は該回転軸１０の外径よりわずかに大きく、しかも両者間には空隙を生じるため、該空隙により該回転軸１０は該回転軸孔２２内の特定方向において短距離の移動を生じる。図５中では、該回転軸１０の外径は16.0mmで、該回転軸孔２２は楕円を呈し、短い方の軸の直径は16.2mmで、長い方の軸の直径は18.2mmである。これにより、ロースターの上蓋３０が閉鎖状態にある時、該回転軸１０と該上蓋３０は自身の重量作用により、該回転軸１０は自然に該回転軸孔２２内の最下方へと降りて来て、該回転軸孔２２の上方には上記の空隙を生じる。
【００２４】
図４に示すように、該上蓋３０には第一フランジ定位点３１を設置し、該底台４０は該回転軸固定台体２０に近い位置に第二フランジ定位点４１を設置する。図４から分かるように、本考案では該回転軸１０中心と該第一フランジ定位点３１を繋いだ線、及び該回転軸１０中心と該第二フランジ定位点４１を繋いだ線の両者間の挟角度が、該上蓋３０半開放状態の開放角度である。本考案では半開放状態はおよそ９５度から１２５度の挟角度に設計する。つまり、該上蓋３０と該底台４０を封鎖する時、両社の相対面の挟角度は０度である。この時、該第一フランジ定位点３１と該第二フランジ定位点４１間は正挟角＋θを備える。
【００２５】
ロースターの該上蓋３０が該底台４０に対して開放する時、該回転軸１０は該上蓋３０に固定するため、該上蓋３０は回転し該回転軸１０の回転を連動する。図６、７に示すように、該上蓋３０の第一フランジ定位点３１が該底台４０上の第二フランジ定位点４１に接触する時、該回転軸１０はそれ以上回転することはできず、こうして該上蓋３０と該底台４０の回転開放角度を固定する。またこの角度は９０度よりやや大きいため、該上蓋３０と該回転軸１０の重力により、該上蓋３０は半開放状態を維持する。よって、使用者は該上蓋３０が降りて来て蓋合状態に戻り、焼き魚の不便を招くことを心配する必要はない。この時の回転軸１０はなお該回転軸孔２２の内径下端に支えており、つまり、該第一フランジ定位点３１と該第二フランジ定位点４１間の挟角が０度である時、該上蓋３０と該底台４０の相対面間の挟角は９５度から１２５度である。
【００２６】
図１０に示すように、ロースターの上蓋３０が該底台４０に対応し、半開放状態から平らに全開状態に移る時、該回転軸固定台体２０内の回転軸孔２２と該回転軸１０間には空隙が存在するため、使用者は該上蓋３０を上に向けて(図９中の方向Ａ)やや持上げ、該回転軸１０を該回転軸孔２２内において上へと移動させる(図１１参照)。こうして、該回転軸１０は上方へと移動し該回転軸孔２２を充填し、該回転軸孔２２の下方には空隙が出現するため、該第一フランジ定位点３１はちょうど該第二フランジ定位点４１を避け(図１０参照)、両者間は相互接触を継続することができない。よって、該上蓋３０は方向Ｂ(すなわち、時計回り)へと該上蓋３０が該底台４０に平坦に接触するまで回転を継続する(図１２、１３参照)。本考案では出願人は該上蓋３０と該底台４０の外形を半円形に類似した形状としたため、該上蓋３０が該底台４０と平坦に接触する時、両者間の挟角は１８０度に近くなる。つまり、該上蓋３０と該底台４０の相対面の挟角が１８０度である時、該第一フランジ定位点３１と該該第二フランジ定位点４１間には挟角−θを備える。
【００２７】
使用者が該上蓋３０を全開状態から蓋合状態に戻そうとする時には、上記と反対の手順で行えば良い。つまり、該上蓋３０と該底台４０間の挟角が９０度より小さい時には、該上蓋３０と該回転軸１０そのものの重力により、該回転軸１０は該回転軸孔２２の下部へと自然に降りて来て、最初の相対位置を回復する。
【００２８】
該上蓋３０は該底台４０に対応し平坦になるため、本考案は該上蓋３０内に加熱装置を設置し(図９参照)、ロースター機能を発揮することができる。該上蓋３０と該底台４０を同時に利用しローストを行う時、当然ロースト速度を大幅に加速することができる。
【００２９】
本考案は該底台４０の内側壁面の異なる高さに複数の階段を形成し、これにより食材の大きさ、厚さに応じて、異なるロースター器具を選択することができる。図１６に示す実施例では、該底台４０の内側壁面に異なる高さの第一階段４０１と第二階段４０２を形成する。該第一階段４０１の高さは該第二階段４０２の高さより高い。該第二階段４０２は蒸し網５０を設置することができ、食材を蒸す時に用いる。該第一階段４０１はローストプレート６０周辺のフランジを設置することができる(図１７参照)。
【図面の簡単な説明】
【００３０】
【図１】本考案ロースターの最適実施例立体図である。
【図２】本考案ロースターの上蓋と底台組合せ関係の平面断面分解図である。
【図３】本考案ロースターの上蓋と底台組合せ後の構造の実施例側面図で、上蓋と底台は閉鎖状態にある。
【図４】上蓋と底台が閉鎖状態にある時、本考案ロースターの回転定位装置の第一フランジ定位点と第二フランジ定位点間が開始相対位置にある図３の局部拡大断面図である。
【図５】上蓋と底台が閉鎖状態にある時、本考案ロースターの回転定位装置の回転軸固定台体と回転軸間の組合せ状況を示す側面表示図である。
【図６】本考案ロースター最適実施例側面図で、上蓋と底台が半開放状態にある。
【図７】上蓋と底台が半開放状態にある時、本考案ロースターの回転定位装置の第一フランジ定位点と第二フランジ定位点間が接触位置にある図６の局部拡大断面図である。
【図８】上蓋と底台が半開放状態にある時、本考案ロースターの回転定位装置の回転軸固定台体と回転軸間の組合せ状況を示す側面表示図である。
【図９】本考案ロースター最適実施例側面図で、ロースターの上蓋は方向Ａに向かい上げられ、しかも方向Ｂへと回転される。
【図１０】ロースターの上蓋が方向Ａに向かい上げられ、しかも方向Ｂへと回転される時、本考案ロースターの回転定位装置の第一フランジ定位点と第二フランジ定位点Ｂ間の相対位置を示す図９の局部拡大断面図である。
【図１１】上蓋が方向Ａに向かい上げられ、しかも方向Ｂへと回転される時、回転定位装置の回転軸固定台体と回転軸間の組合せ状況を示す側面表示図である。
【図１２】ロースターの上蓋と底台が既に相対的に１８０度回転した様子の側面断面図である。
【図１３】ロースターの上蓋と底台が既に相対的に１８０度回転した時、回転定位装置の第一フランジ定位点と第二フランジ定位点Ｂ間の最終位置を示す図１２の局部拡大断面図である。
【図１４】本考案ロースターを横向きに置いた時の前面平面図である。
【図１５】考案ロースターを縦向きに置いた時の前面平面図である。
【図１６】本考案底台の第二階段において蒸し網を設置する実施例の局部平面断面図である。
【図１７】本考案底台の第一階段においてロースとプレートを設置する実施例の局部平面断面図である。
【符号の説明】
【００３１】
１０  回転軸
２０  回転軸固定台体
２２  回転軸孔
３０  上蓋
３１  第一フランジ定位点
３２  加熱装置
３３  サポート脚
３３１  下サポート面
３３２  側サポート面
４０  底台
４０１  第一階段
４０２  第二階段
４１  第二フランジ定位点
４２  脚台
４３  機械ボックス
４４  嵌合具
４４１  係合ほぞ
５０  蒸し網
６０  ローストプレート
【図１】
0003127560.tif 000003
【図２】
0003127560.tif 000004
【図３】
0003127560.tif 000005
【図４】
0003127560.tif 000006
【図５】
0003127560.tif 000007
【図６】
0003127560.tif 000008
【図７】
0003127560.tif 000009
【図８】
0003127560.tif 000010
【図９】
0003127560.tif 000011
【図１０】
0003127560.tif 000012
【図１１】
0003127560.tif 000013
【図１２】
0003127560.tif 000014
【図１３】
0003127560.tif 000015
【図１４】
0003127560.tif 000016
【図１５】
0003127560.tif 000017
【図１６】
0003127560.tif 000018
【図１７】
0003127560.tif 000019